(57)【特許請求の範囲】
【請求項１】
内容物を収容した内容物収容凹所と、
該内容物収容凹所の全周囲に連続して延び且つ平面視矩形のフランジと、
該フランジの全周に亘って熱溶着され且つ該フランジの全周に亘って剥離可能な蓋フィルムとを有し、
前記フランジの角部に設けられて前記蓋フィルムを開封操作するときに該蓋フィルムを摘み上げる開封角部を有するトレー製品において、
前記蓋フィルムの熱溶着領域が幅狭領域と幅広領域とで構成され、
前記幅狭領域が、前記開封角部を挟む前記フランジの第１側縁を構成する第１フランジと第２側縁を構成する第２フランジに設けられ、
前記幅広領域が、前記第１、第２のフランジに対抗する第３、第４のフランジに設けられ、
前記幅広領域が前記第３、第４のフランジの外周縁に接しており、
前記幅狭領域が前記幅広領域よりも熱溶着の幅が狭く、
前記幅狭領域が前記第１、第２のフランジの外周縁から離間して、該第１、第２のフランジの外周縁と前記幅狭領域との間に、前記第１、第２のフランジと前記蓋フィルムとが接着されていない非接着領域が位置していることを特徴とするトレー製品。
【請求項２】
前記開封角部に対応して、前記幅狭領域に烏口を有する、請求項１に記載のトレー製品。
【請求項３】
内容物を収容する複数の内容物収容凹所を有し、該内容物収容凹所の周りにフランジを備えた平面視矩形の成形トレーシートと、
該成形トレーシートの蓋部材を構成する蓋フィルムとを用意し、
前記成形トレーシートのフランジに前記蓋フィルムを熱溶着した後に打ち抜くことにより、内容物を収容した平面視矩形のトレー製品を作り、
該トレー製品を打ち抜いた後に残る打ち抜き残渣を、該打ち抜き残渣の長手方向一端から巻き取ることにより該打ち抜き残渣を排出するトレー製品製造方法において、
前記蓋フィルムを前記フランジに熱溶着する領域が、前記トレー製品に属する第１熱溶着領域と、前記打ち抜き残渣に属する第２熱溶着領域とを有し、
前記第１熱溶着領域が、前記トレー製品の開封角部を挟む第１、第２の側縁から離れた幅狭領域と、前記第１、第２の側縁と対抗する第３、第４の側縁に接した幅広領域とで構成されて、前記幅狭領域が前記幅広領域よりも熱溶着の幅が狭く、
前記第２熱溶着領域が、
前記打ち抜き残渣の幅方向両端部に位置する第１、第２の幅方向端部分に位置し、長手方向に実質的に連続して延びる第１、第２の長手方向溶着帯と、
前記打ち抜き残渣の幅方向中間に位置する幅方向中間部分に位置し、長手方向に間欠的
に延びる長手方向中間溶着帯と、
前記打ち抜き残渣の幅方向に延びる部分に位置し、幅方向に間欠的に延びる分割溶着帯とを有することを特徴とするトレー製品製造方法。
【請求項４】
前記打ち抜き残渣の幅方向に延びる部分のうち、前記蓋フィルムの長手方向端に位置する長手方向始端部分の前記分割溶着帯が前記第２の長手方向溶着帯に溶着ブリッジによって連結されている、請求項３に記載のトレー製品製造方法。
【発明の詳細な説明】
【技術分野】
【０００１】
本発明は、蓋フィルムで密封したトレー製品及びその製造方法に関する。
【背景技術】
【０００２】
カレーやシチューなどのルウは合成樹脂製トレーを使って密封した状態でユーザに提供される。特許文献１は、密封したトレー食品を製造するシステム及び方法を開示している。
【０００３】
特許文献１に開示の内容を具体的に説明すると、複数のルウ収容凹所を備えた合成樹脂製の成形トレーシートを用意する。特許文献１では、成形トレーシートを「トレーユニット」と呼んでいる。調理したルウを成形トレーシートの各ルウ収容凹所に充填し、次いで、成形トレーシートに樹脂製の蓋フィルムを熱溶着（ヒートシール）してルウ入りトレーシートを密封する。次いで、密封した成形トレーシートを打ち抜いてトレー食品を作る。密封したトレー食品は、２つの単体トレー食品で構成されている。各単体トレー食品は１つの内容物である固形ルウを収容している（特許文献１の図９）。
【０００４】
ここに、単体トレー食品は、内容物を収容するルウ収容凹所を囲むフランジを有し、このフランジに蓋フィルムが熱溶着された状態にある。そして熱溶着領域はフランジの外周縁まで達している。
【０００５】
特許文献１は、その図５に抜刃型装置を開示している。抜刃型装置は、下方に位置する刃型と、その上方に位置して昇降する押し型とで構成されている。蓋フィルムで密封された成形トレーシートは抜刃型装置によって打ち抜かれて複数のトレー食品が形成される。トレー食品の詳細は特許文献２に開示されている。
【０００６】
特許文献３は、上記抜刃型装置に相当する打ち抜き装置の詳細を開示している。
【０００７】
特許文献１に戻って、特許文献１は、密封した成形トレーシートを打ち抜いたときに出来る打ち抜き残渣を排出するための打ち抜き残渣排出手段の存在が記載されている。
【先行技術文献】
【特許文献】
【０００８】
【特許文献１】特開２０１３−６６２５号公報
【特許文献２】特開２０１１−２４６１４１号公報
【特許文献３】特開平１−２５４５１５号公報
【発明の概要】
【発明が解決しようとする課題】
【０００９】
近年の省資源、ゴミの削減、環境負荷の低減などの要請に応じるために、容器包装材の薄肉化、簡素化が進んでいる。これに伴い、従来には見られなかった課題が新たに発生している。その一つに単体トレー食品を開封するときに発生する蓋フィルムの破断がある。すなわち、従来の厚みの蓋フィルムではほとんど発生しなかったが、薄い蓋フィルムを採用したことにより、蓋フィルムを開封している最中に予期しない箇所から蓋フィルムが裂けてしまうという問題が顕在化して来た。
【００１０】
本願発明者らは、この問題の原因を探っている過程で本発明を案出するに至ったものである。すなわち、トレー食品を作るために、抜刃型装置（特許文献１）又は打ち抜き装置（特許文献３）が採用されているが、この抜刃型装置（特許文献１）又は打ち抜き装置に採用される抜き刃は、意図的に鈍な刃先を備えている。すなわち、抜き刃として鋭利な刃先を採用したときには、装置を運用する過程で時系列に抜き刃の切れ味が変化してしまう。このことを避けるために、抜き刃として鈍な刃先の刃が採用されている。
【００１１】
この鈍な刃先が、上述した蓋フィルムの割けの問題に関係しているのでは、と考えて、密封した成形トレーシートを抜刃型装置又は打ち抜き装置で切断してトレー食品を作る過程をミクロ的に観察した。その結果、密封した成形トレーシートからトレー食品を引き千切ることで切断していることが判った。そして、この影響を受けて、トレー食品の切断端面に微細なノッチが発生していることを本願発明者らは突き止めた。
【００１２】
そして、本願発明者らは、微細なノッチは蓋フィルムの裂けの出発点になると考えるに至った。すなわち、ユーザが蓋フィルムを開封する操作を行っている際に、この開封の操作力がノッチに加わると、このノッチが起点となって蓋フィルムが予期しない箇所から裂け始める、というメカニズムを本願発明者らは思い付くに至った。
【００１３】
上述したトレー食品の包装形態はルウに限定されず、豆腐や納豆にも適用されている。また食品に限らず、例えば電池や歯ブラシなどの工業製品にも適用されている。
【００１４】
本発明の目的は、密封した成形トレーシートを従来から知られている抜刃型装置又は打ち抜き装置で切断することを前提として、ユーザが行う開封操作の際に蓋フィルムが裂けてしまう事故を抑えることのできるトレー製品及びその製造方法を提供することにある。
【課題を解決するための手段】
【００１５】
上記の技術的課題は、本発明の一つの観点によれば、
内容物を収容した内容物収容凹所と、
該内容物収容凹所の全周囲に連続して延び且つ平面視矩形のフランジと、
該フランジの全周に亘って熱溶着され且つ該フランジの全周に亘って剥離可能な蓋フィルムとを有し、
前記フランジの角部に設けられて前記蓋フィルムを開封操作するときに該蓋フィルムを摘み上げる開封角部を有するトレー製品において、
前記蓋フィルムの熱溶着領域が幅狭領域と幅広領域とで構成され、
前記幅狭領域が、前記開封角部を挟む前記フランジの第１側縁を構成する第１フランジと第２側縁を構成する第２フランジに設けられ、
前記幅広領域が、前記第１、第２のフランジに対抗する第３、第４のフランジに設けられ、
前記幅広領域が前記第３、第４のフランジの外周縁に接しており、
前記幅狭領域が前記幅広領域よりも熱溶着の幅が狭く、
前記幅狭領域が前記第１、第２のフランジの外周縁から離間して、該第１、第２のフランジの外周縁と前記幅狭領域との間に、前記第１、第２のフランジと前記蓋フィルムとが接着されていない非接着領域が位置していることを特徴とするトレー製品を提供することにより達成される。
【００１６】
上記の技術的課題は、本発明の他の観点によれば、
内容物を収容する複数の内容物収容凹所を有し、該内容物収容凹所の周りにフランジを備えた平面視矩形の成形トレーシートと、
該成形トレーシートの蓋部材を構成する蓋フィルムとを用意し、
前記成形トレーシートのフランジに前記蓋フィルムを熱溶着した後に打ち抜くことにより、内容物を収容した平面視矩形のトレー製品を作り、
該トレー製品を打ち抜いた後に残る打ち抜き残渣を、該打ち抜き残渣の長手方向一端から巻き取ることにより該打ち抜き残渣を排出するトレー製品品製造方法において、
前記蓋フィルムを前記フランジに熱溶着する領域が、前記トレー製品に属する第１熱溶着領域と、前記打ち抜き残渣に属する第２熱溶着領域とを有し、
前記第１熱溶着領域が、前記トレー製品の開封角部を挟む第１、第２の側縁から離れた幅狭領域と、前記第１、第２の側縁と対抗する第３、第４の側縁に接した幅広領域とで構成されて、前記幅狭領域が前記幅広領域よりも熱溶着の幅が狭く、
前記第２熱溶着領域が、
前記打ち抜き残渣の幅方向両端部に位置する第１、第２の幅方向端部分に位置し、長手方向に実質的に連続して延びる第１、第２の長手方向溶着帯と、
前記打ち抜き残渣の幅方向中間に位置する幅方向中間部分に位置し、長手方向に間欠的に延びる長手方向中間溶着帯と、
前記打ち抜き残渣の幅方向に延びる部分に位置し、幅方向に間欠的に延びる分割溶着帯とを有することを特徴とするトレー製品製造方法を提供することにより達成される。
【００１７】
本発明の作用効果及び他の目的は、後の本発明の実施例の詳しい説明から明らかになろう。
【図面の簡単な説明】
【００１８】
【図１】本発明を適用可能な成形トレーシートの斜視図である。
【図２】図１の成形トレーシートにカレールウを充填し、次いで蓋フィルムで成形トレーシートを密封する過程を説明するための図である。
【図３】蓋フィルムで成形トレーシートを密封したときに、熱溶着領域を説明するための部分平面図である。
【図４】蓋フィルムで密封した成形トレーシートを打ち抜いてトレー食品を作る工程を説明するための斜視図である。
【図５】図４の部分拡大図である。
【図６】トレー食品の斜視図である。
【図７】トレー食品から切り分けた単体トレー食品を開封する前に内容物を小分けする操作を説明するための図である。
【図８】単体トレー食品を開封する操作を説明するための図である。
【図９】２つの単体トレー食品で構成されるトレー食品の平面図である。
【図１０】蓋フィルムで密封した成形トレーシートを打ち抜いてトレー食品を作る工程で発生する打ち抜き残渣を説明するための部分平面図である。
【発明を実施するための形態】
【実施例】
【００１９】
以下に、添付の図面に基づいて本発明の好ましい実施例を説明する。
【００２０】
図１は、本発明を適用可能な平面視矩形の成形トレーシート１００を示す。成形トレーシート１００の複数のルウ収容凹所４に液体状態のカレールウ２が充填される（図２）。成形トレーシート１００は、図示の例では、「１２」のルウ収容凹所４が所定の間隔で配置され（図１）、各ルウ収容凹所４にルウ２が充填され、そして固化される(図２)。
【００２１】
成形トレーシート１００はその上端にフランジ６を有し、フランジ６は横方向に延びている。成形トレーシート１００にルウ２を充填すると、成形トレーシート１００は合成樹脂製の蓋フィルム８によって覆われる（図２）。蓋フィルム８がフランジ６に熱溶着されることによって各ルウ収容凹所４が密封される。
【００２２】
密封した成形トレーシート１００は、特許文献１に開示の抜刃型装置によってトレー食品１０及び後に説明する弱化線１２が形成される（図４、図５）。成形トレーシート１００からトレー食品１０を打ち抜くことにより発生する打ち抜き残渣１４は、図外の巻き取り装置によって排除される。
【００２３】
図６はトレー食品１０の斜視図である。図示の例では、トレー食品１０は２つの単体トレー食品２０で構成されている。各単体トレー食品２０は一つのルウ収容凹所４に収容されたルウ２（図２）を有する。単体トレー食品２０は平面視したときに矩形の形状を有している（図９）。
【００２４】
トレー食品１０は、２つの単体トレー食品２０の間に弱化線１２を有する。ユーザは、この弱化線１２に沿って２つの単体トレー食品２０を切り分け、そして個別に開封して単一の内容物である固形ルウ２を使用することができる。
【００２５】
図１に戻って、ルウ収容凹所４は、その底部に平面視十文字の畝５を有している。ルウ収容凹所４に充填されたルウ２が固化したときに、十文字の畝５によってルウ２の底面に十文字の凹所が形成される。これにより固形ルウを２つ又は４つに小分けするのが容易である。
【００２６】
図７は、単体トレー食品２０を開封する前に、ユーザが一般的に行う小分け操作を説明するための図である。単体トレー食品２０は密封状態のままでユーザが折り曲げることにより、その中に密封されている固形ルウを小分けすることができる。平面視矩形の単体トレー食品２０は、所定の開封角部２４aを有し、この開封角部２４aでは蓋フィルム８が接着されていない。ユーザは、開封角部２４aの蓋フィルム８の角隅部分を摘んで引き上げることにより単体トレー食品２０を開封することができる（図８）。
【００２７】
以上は、従来と同様であるので、その詳しい説明は省略し、本発明に関係した事項を以下に説明する。
【００２８】
図３は、蓋フィルム８を熱溶着した成形トレーシート１００の平面図である。図３において、ドットで示す第１熱溶着領域３０はトレー食品１０の溶着部分を示す。クロスで示す第２熱溶着領域３２はトレー食品１０から外れた溶着部分を示す。つまり、第２熱溶着領域３２は打ち抜き残渣１４に位置している。
【００２９】
図９を参照して、トレー食品１０に含まれるフランジ６は、第１単体トレー食品２０aの第１ルウ収容凹所４ａの周囲に位置する第１フランジ４０aと、第２単体トレー食品２０ｂの第２ルウ収容凹所４ｂの周囲に位置する第２フランジ４０bとを有する。第１、第２フランジ４０a、４０bは平面視矩形の形状を有し、４つの角部２４は円弧状の形状を有する。参照符号２４aは前述した開封角部である。この開封角部２４aは、第１、第２のフランジ４０a、４０bが占める共通平面よりも低位に位置している。すなわち、開封角部２４aは、図１から最も良く分かるように、第１、第２のフランジ４０a、４０b（フランジ６）よりも低位の段部によって構成されている。
【００３０】
引き続き図９を参照して、トレー食品１０は、第１、第２のフランジ４０a、４０bの間に、前述した弱化線１２を有する。前述した開封角部２４aは、第１ルウ収容凹所４ａ、第２ルウ収容凹所４ｂを挟んで、弱化線１２とは反対側に位置している。
【００３１】
第１の熱溶着領域３０は、第１、第２のフランジ４０a、４０bの外周縁との関係で説明すると２つの部分領域３０a、３０bで構成されている。第１のフランジ４０aと、第２のフランジ４０bとは共通しているため、第１のフランジ４０aで説明すると、第１フランジ４０aの４つの側縁は、開封角部２４aを形成する２つの第１、第２の側縁４０a(1)、４０a(2)と、これら第１、第２の側縁４０a(1)、４０a(2)と互いに対抗する２つの残る第３、第４の側縁４０a(3)、４０a(4)とで構成されている。
【００３２】
第１熱溶着領域３０は、第１ルウ収容凹所４ａの全周囲に亘って連続して延びている。第１熱溶着領域３０は幅狭領域５０と幅広領域５２とで構成されている。「幅狭」「幅広」という用語は相対的な意味で使用している。幅狭領域５０は、開封角部２４aを挟む第１、第２の側縁４０a(1)、４０a(2)に沿って延びている。幅広領域５２は、第３、第４の側縁４０a(3)、４０a(4)に沿って延びている。
【００３３】
幅狭領域５０は開封角部２４aを挟む第１、第２の側縁４０a(1)、４０a(2)から離れて位置している。すなわち、幅狭領域５０と第１、第２の側縁４０a(1)、４０a(2)との間に非接着領域５４が位置している。幅広領域５２は第３、第４の側縁４０a(3)、４０a(4)に接している。非接着領域５４では、第１、第２のフランジ４０a、４０bに対して蓋フィルム８が熱溶着されていない。
【００３４】
密封した成形トレーシート１００を例えば特許文献１と実質的に同じ抜刃型装置を使って切断したときに、第１、第２の側縁４０a(1)、４０a(2)に相当する部分の蓋フィルム８の縁に微細なノッチが発生しても、第１、第２の側縁４０a(1)、４０a(2)まで熱溶着されていないため、この微細なノッチがきっかけとなって蓋フィルム８が裂けるのを阻止することができる。すなわち、図８を参照して、ユーザが開封操作を行う際には、剥離しつつある蓋フィルム８と幅狭領域５０との境界線上の蓋フィルムとフランジに応力が加わるが、上述したノッチには応力が作用しない。このことにより、微細なノッチがきっかけとなって蓋フィルムが裂けるのを阻止することができる。事実、開封操作に伴って蓋フィルム８の予期しない裂けが発生していないことが確認できた。
【００３５】
幅狭熱溶着領域５０は、従来との対比で、熱溶着の幅が従来よりも幅狭である。熱溶着の幅を幅狭にすることにより、当該幅狭領域５０の密封性が低下する。当該幅狭領域５０の密封性が低下すると、図７を参照して説明した、単体トレー食品２０を密封状態のままでユーザが折り曲げることにより小分けしようとする操作の際に、単体トレー食品２０の内圧が上がり、蓋フィルム８とトレー部が剥離してしまう。このような密封性の低下に伴う問題が発生しないように、フランジに熱溶着する領域（第１熱溶着領域３０及び第２熱溶着領域３２）のシール強度を従来よりも高めるのが良い。具体的には、従来はシール強度が７〜９N/15mmに設定されているが、実施例では、１０〜１１N/15mmに設定されている。このようにシール強度を高めることにより、従来と同様の密封性を確保することができる。ここに、従来というのは、トレー食品１０の熱溶着領域が全て幅広熱溶着領域５２で構成されていることを意味している。
【００３６】
なお、「シール強度」は、シール部分に対して直角の方向に15mmの幅で切り取った包材のシール部分を、剥離方向に両側から引っ張った時に掛かる最大の力の測定値を意味する。この測定方法は、ＪＩＳ  Ｚ  ０２３８「袋のヒートシール強さ試験」に依拠する。
【００３７】
他方、幅広熱溶着領域５２は相対的に幅広であり、幅広領域５２は第３、第４の側縁４０a(3)、４０a(4)まで広がっている。すなわち、第３、第４の側縁４０a(3)、４０a(4)まで蓋フィルム８が熱溶着されている。
【００３８】
幅狭領域５０において、好ましくは、開封角部２４aの部分に烏口５６を有するのがよい。烏口５６は、外方に向けて突出したピークを有している。これにより、開封する際に、蓋フィルム８の剥離の初動に必要な操作力を低減することができ、蓋フィルム８の剥離操作を容易にすることができる。
【００３９】
上述したように幅狭領域５０のシール強度を従来よりも高く設定した場合、烏口５６を設けるのがよい。従来よりも強いシール強度の幅狭領域５０の開封のし難さの問題に対して、烏口５６によって開封初期の剥離容易性を確保することができる。
【００４０】
図３を参照して、第２熱溶着領域３２を説明する。この第２熱溶着領域３２は、前述したように、トレー食品１０から外れた位置に存在し、すなわち打ち抜き残渣１４に位置している。蓋フィルム８の長手方向つまり図３の左右方向に沿って延びる長手方向領域６０と、蓋フィルム８の幅方向つまり図３の上下方向に延びる横断領域６２とを有する。
【００４１】
長手方向領域６０は、トレー食品１０の間に位置し、トレー食品１０の長手方向に連続して延びる２つの長手方向中間溶着帯６４と、成形トレーシート１００の幅方向端に略接した状態でトレー食品１０の長手方向に連続して延びる第１の長手方向溶着帯６６と、この第１の長手方向溶着帯６６とは反対側に幅方向端に位置し、トレー食品１０に接した状態でトレー食品１０の長手方向に連続して延びる第２の長手方向溶着帯６８とを有する。ここに、第２長手方向溶着帯６８と長手方向中間溶着帯６４とは同じ形態を有しているが、これらの帯６８と６４が異なる形状を有していても良い。
【００４２】
横断領域６２は、各トレー食品１０に沿って延びる複数の分割溶着帯７０を有し、複数の分割溶着帯７０は、成形トレーシート１００の長手方向において、隣接するトレー食品１０の間に夫々位置し、各分割溶着帯７０は互いに分離している。すなわち、複数の分割溶着帯７０は成形トレーシート１００の幅方向に一列に並び、そして間欠的に位置している。
【００４３】
前述した長手方向領域６０は、また、連結ブリッジ７２を有する。連結ブリッジ７２は、蓋フィルム８の長手方向端に位置する第１溶着ブリッジ７２aと、第１長手方向溶着帯６６とは反対側の幅方向端に位置し且つ隣接する第２長手方向溶着帯６８の間に位置する第２溶着ブリッジ７２bとを有する。第１溶着ブリッジ７２aは、蓋フィルム８の長手方向端に位置する第２の長手方向溶着帯６８と、これに隣接する分割溶着帯７０との間に位置し、これらを連結している。第２溶着ブリッジ７２bは、隣接する第２の長手方向溶着帯６８を実質的に連結している。
【００４４】
図３、図５において、参照符号Ｓはスリットを示す。第１、第２の長手方向溶着帯６６、６８は、食品トレー１０を単位に形成される。これは蓋フィルム８と成形トレーシート１００を熱溶着するための金型が食品トレー１０を単位に作製されているためであり、スリットＳは、隣接する金型間の隙間に位置している。したがって、スリットＳの幅は僅かである。したがって、打ち抜き残渣１４上のスリットＳを挟んで隣接する第１の長手方向溶着帯６６の離間距離は僅かであり、隣接する第１の長手方向溶着帯６６は、実質的に、打ち抜き残渣１４の長手方向に連続していると言うことができる。また、第２溶着ブリッジ７２bのスリットＳの幅も僅かであり、したがって、第２の長手方向溶着帯６８についても、第２溶着ブリッジ７２bによって、打ち抜き残渣１４の長手方向に連続していると言うことができる。
【００４５】
第２熱溶着領域３２は、更に、各トレー食品１０の２つの単体トレー食品２０の角部を埋める略三角形の溶着部７４を有する。
【００４６】
図５、図１０は、打ち抜き残渣１４とトレー食品１０との関係を説明するための図である。打ち抜き残渣１４は、蓋フィルム８（図３）の一部と成形トレーシート１００（図１）の一部とで構成され、そして、これらが上述した第２熱溶着領域３２によって熱溶着されている。
【００４７】
図５、図１０を参照して、第２熱溶着領域３２（図３）は、その第２の長手方向溶着帯６８、第１の長手方向溶着帯６６が、打ち抜き残渣１４の幅方向両端に位置する第１、第２の幅方向端部分８０、８２において、各幅方向端部分８０、８２に沿って連続して延びている。また、第２長手方向溶着帯６８は、第１溶着ブリッジ７２aによって、第２長手方向溶着帯６８の端が、蓋フィルム８の先端に位置し且つ蓋フィルム８の端部に位置する分割溶着帯７０に連結されている（図３）。
【００４８】
また、第２熱溶着領域３２は、その分割溶着帯７０が、打ち抜き残渣１４の幅方向に延びる長手方向始端部分８６及び長手方向中間部分８８に間欠的に位置している。更に、第２熱溶着領域３２は、その長手方向中間溶着帯６４が幅方向中間部分８４のトレー食品１０に相当する部分に連続して延びている。
【００４９】
このように、打ち抜き残渣１４は、その幅方向両端が長手方向に熱溶着され、また、始端及び中間部分が間欠的に熱溶着されている。これにより引っ張り強度が増し、打ち抜き残渣１４を図１０の矢印Ａで示す方向に引っ張りながら排出しても、打ち抜き残渣１４が破断するのを防止できる。なお、打ち抜き残渣１４は図外のローラによって巻き取られる。したがって、ローラによる巻き取りが、打ち抜き残渣１４の破断によって不能になるのを防止することができる。
【００５０】
以上、本発明を適用可能な典型例である、固形ルウを収容したトレー食品を説明したが、本発明はこれに限定されない。内容物として、例えば豆腐、トコロテン、プリン、ゼリー、ムース、こんにゃく、もずく酢のような水産物、ハムなどの畜産物、ごはん、漬け物、お菓子、味噌、納豆、麺類などの食品であってもよい。
【００５１】
例えば、豆腐やプリンなどでは平面視円形のトレーに収容されている。本発明の適用に関し、内容物収容凹所を全周に亘って囲む熱溶着領域のうち、開封部を含む半周領域を上述した幅狭熱溶着領域５０で構成し、残部の半周領域を上述した幅広熱溶着領域５２で構成するのが良い。この場合、幅狭熱溶着領域５０の長手方向中間部分がトレー食品の開封部に位置するように設計するのが良い。
【００５２】
また、トレー食品は本発明の一つの適用例に過ぎない。内容物として、医薬品、日用品、工業製品などの製品であってもよい。
【００５３】
例えば、歯ブラシや乾電池で良く見られる包装として、歯ブラシなどを収容する内容物収容凹所が形成された透明な成形シートと、その蓋部材を構成する蓋フィルムとの組み合わせで構成されたトレー製品がある。このようなトレー製品についても本発明を適用可能である。
【符号の説明】
【００５４】
１００  成形トレーシート
２    ルウ
４    ルウ収容凹所（内容物収容凹所）
６    フランジ
８    蓋フィルム
１０    トレー食品（トレー製品）
１２    弱化線
１４    打ち抜き残渣
２０    単体トレー食品
２４    角部
２４a    開封角部
３０    第１熱溶着領域（トレー）
３２    第２熱溶着領域（打ち抜き残渣）
４０a    単体トレー食品のフランジ
４０a(1)  単体トレー食品の第１側縁
４０a(2)  単体トレー食品の第２側縁
４０a(3)  単体トレー食品の第３側縁
４０a(4)  単体トレー食品の第４側縁
５０    幅狭熱溶着領域
５２    幅広熱溶着領域
５４    非接着領域
５６    烏口
６０  長手方向領域（第２熱溶着領域）
６２  横断領域（第２熱溶着領域）
６４  長手方向中間溶着帯（長手方向領域６０）
６６  第１長手方向溶着帯（長手方向領域６０）
６８  第２長手方向溶着帯（長手方向領域６０）
７０  分割溶着帯（横断領域６２）
７２  連結ブリッジ（長手方向領域６０）
７２a  第１溶着ブリッジ
７２b  第２溶着ブリッジ
７４  略三角形の溶着部
８０  第１幅方向端部分
８２  第２幅方向端部分
８４  幅方向中間部分
８６  長手方向始端部分
８８  長手方向中間部分
【図１】
0006666714.tif 000002
【図２】
0006666714.tif 000003
【図３】
0006666714.tif 000004
【図４】
0006666714.tif 000005
【図５】
0006666714.tif 000006
【図６】
0006666714.tif 000007
【図７】
0006666714.tif 000008
【図８】
0006666714.tif 000009
【図９】
0006666714.tif 000010
【図１０】
0006666714.tif 000011